(57)【特許請求の範囲】
【請求項１】
被遮蔽部の両側部に相対して固定され互いに対向して挿入口を上下方向に形成したガイドレールと、この両側部のガイドレールの挿入口に幅方向の両側端部をそれぞれ挿入して昇降自在に設けられ前記被遮蔽部を遮蔽する不燃性シート体と、この不燃性シート体の下端部に設けられ前記被遮蔽部の床面に着床する不燃性重錘体と、を具備し、
前記不燃性重錘体は、前記不燃性シート体の下端部に沿って固定された第１の重錘部材と、この第１の重錘部材に上下動自在に設けられた第２の重錘部材と、を有し、
前記第１の重錘部材は、この第１の重錘部材の下端部に沿って開口され前記第２の重錘部材を上下動自在に挿通する挿通口を有し、
前記第２の重錘部材は、第１の重錘部材の挿通口に上下動自在に挿通され両側端部に前記両側部のガイドレールの挿入口にそれぞれ昇降自在に挿入した挿入部を有する可動板部と、この可動板部の上端部に形成され前記挿通口の内側縁部に当接して抜止めされる抜止め板部と、前記可動板部の下端部に形成され前記床面に着床する着床板部と、を有した耐火スクリーン装置であって、
前記不燃性シート体は、下端部に沿って前記不燃性重錘体を固定する偏平板状の板状固定部が形成され、
前記板状固定部は、前記ガイドレールの挿入口に昇降自在に挿入する挿入突部を有する偏平板状体を有し、
前記第１の重錘部材は、両側端部に前記両側部のガイドレールの挿入口にそれぞれ昇降自在に挿入しこの第１の重錘部材の両側端部と前記ガイドレールとの間を閉塞する閉塞カバー体を有し、
前記閉塞カバー体は、前記第１の重錘部材の重錘板の両側端部に当接してこの重錘板の両側端部に固定された取付け板部と、この取付け板部と直交方向の閉塞板部と、前記ガイドレール１の挿入口に昇降自在に挿入した挿入板部とを有し、
前記挿入板部は、前記板状固定部の両側端部の下端部に沿って配置されている
ことを特徴とする耐火スクリーン装置。
【請求項２】
第１の重錘部材の挿通口は、この第１の重錘部材に相対して着脱自在に取付けられた一対の底板部の対向する端部にて形成されている、
ことを特徴とする請求項１記載の耐火スクリーン装置。
【請求項３】
第１の重錘部材は、この第１の重錘部材の両面部から下方に向かってそれぞれ突出され床面に着床時に第２の重錘部材を介して互いに反対方向に離反して着床する一対の不燃性エンドシートを有する、
ことを特徴とする請求項１または２記載の耐火スクリーン装置。
【請求項４】
第２の重錘部材の着床板部は、可動板部を中心に互いに反対方向に向かって突出した突出板部にて水平状に形成されている、
ことを特徴とする請求項１記載の耐火スクリーン装置。
【発明の詳細な説明】
【０００１】
【発明の属する技術分野】
本発明は耐火スクリーン装置に係り、たとえば、火災時に煙りの拡散と延焼を防止するものに関する。
【０００２】
【従来の技術】
従来、この種の耐火スクリーン装置としては、たとえば、両側部に相対して固定され互いに対向して挿入口を上下方向に形成したガイドレールと、この両側部のガイドレールの挿入口に幅方向の両側端部をそれぞれ挿入して昇降自在に設けられ前記両ガイドレール間の被遮蔽部を遮蔽する不燃性シート体と、この不燃性シート体の下端部に設けられ前記被遮蔽部の床面に着床する不燃性重錘体と、を具備し、前記不燃性重錘体の下端部に前記被遮蔽部の床面に着床時に変形して床面との間を閉塞する変形可能な中空筒状の床面閉塞体を固定する構成が提案されている。
【０００３】
そして、火災時に不燃性シート体及び不燃性重錘体を下降しこの不燃性重錘体の床面閉塞体を床面との接触面が大きくなるように偏平状に変形させて着床し、被遮蔽部を遮蔽するものであるが、このとき、不燃性シート体が火災時の熱風により煽られる圧力を受けて撓んだり、火災熱により上方に熱収縮した場合は、不燃性シート体の撓み量及び熱収縮量に応じてこの不燃性シート体にて不燃性重錘体及び床面閉塞体が引き上げられても、上方に変形して床面との接触面が多少小さくなる床面閉塞体にて床面との間を閉塞するようにしたものである。
【０００４】
【発明が解決しようとする課題】
しかし、前記耐火スクリーン装置では、床面閉塞体は不燃性重錘体の下端部に固定されているため、不燃性シート体の撓み量及び／または熱収縮量が大きいときは不燃性重錘体及び床面閉塞体が更に引き上げられ、この床面閉塞体と床面との接触面が小さくなり過ぎて床面閉塞体と床面との間に隙間が生じ易くなることも考えられ、また、被遮蔽部の遮蔽時に不燃性重錘体の両端部がロックされている状態で、不燃性シート体が火災時の熱風により煽られて強い圧力を受けたときは、この不燃性シート体の中心部に圧力が集中して不燃性シート体が大きく撓むとともに不燃性重錘体及び床面閉塞体が引き上げられて床面閉塞体と床面との間の中間部に隙間が生じ易くなることも考えられ、したがって、被遮蔽部を気密に遮蔽する気密性及び被遮蔽部を火炎の流出を防止して遮蔽する耐火性が低下することも考えられる。
【０００５】
そこで、不燃性重錘体の重量を重くして持ち上がりを防止するとともに、不燃性重錘体の厚みを大きくして反り返りを防止するようにすると、その不燃性重錘体は被遮蔽部の開口部の左右方向の長さに応じて重くなり過ぎるとともに、この不燃性重錘体の両側端部の厚みに応じてこの不燃性重錘体の両側端部を挿入するガイドレールの挿入口を大きく開口しなければならなくなる。しかし、このガイドレールの挿入口を大きく開口すると、この挿入口と不燃性シート体の両側端部との間に比較的大きな隙間が形成され、この隙間から熱風等が流出し易くなる、という問題がある。
【０００６】
本発明は、このような課題に鑑みてなされたもので、不燃性シート体が火災時の熱風により煽られる圧力を受けて撓んだり、火災熱により上方に熱収縮しても、不燃性シート体の下端部と被遮蔽部の床面との間に隙間が生じることを確実に防止でき、したがって、被遮蔽部を気密に遮蔽する気密性及び被遮蔽部を火炎の流出を防止して遮蔽する耐火性を向上することができる耐火スクリーン装置を提供することを目的とするものである。
【０００７】
【課題を解決するための手段】
請求項１記載の耐火スクリーン装置は、被遮蔽部の両側部に相対して固定され互いに対向して挿入口を上下方向に形成したガイドレールと、この両側部のガイドレールの挿入口に幅方向の両側端部をそれぞれ挿入して昇降自在に設けられ前記被遮蔽部を遮蔽する不燃性シート体と、この不燃性シート体の下端部に設けられ前記被遮蔽部の床面に着床する不燃性重錘体と、を具備し、前記不燃性重錘体は、前記不燃性シート体の下端部に沿って固定された第１の重錘部材と、この第１の重錘部材に上下動自在に設けられた第２の重錘部材と、を有し、前記第１の重錘部材は、この第１の重錘部材の下端部に沿って開口され前記第２の重錘部材を上下動自在に挿通する挿通口を有し、前記第２の重錘部材は、第１の重錘部材の挿通口に上下動自在に挿通され両側端部に前記両側部のガイドレールの挿入口にそれぞれ昇降自在に挿入した挿入部を有する可動板部と、この可動板部の上端部に形成され前記挿通口の内側縁部に当接して抜止めされる抜止め板部と、前記可動板部の下端部に形成され前記床面に着床する着床板部と、を有した耐火スクリーン装置であって、前記不燃性シート体は、下端部に沿って前記不燃性重錘体を固定する偏平板状の板状固定部が形成され、前記板状固定部は、前記ガイドレールの挿入口に昇降自在に挿入する挿入突部を有する偏平板状体を有し、前記第１の重錘部材は、両側端部に前記両側部のガイドレールの挿入口にそれぞれ昇降自在に挿入しこの第１の重錘部材の両側端部と前記ガイドレールとの間を閉塞する閉塞カバー体を有し、前記閉塞カバー体は、前記第１の重錘部材の重錘板の両側端部に当接してこの重錘板の両側端部に固定された取付け板部と、この取付け板部と直交方向の閉塞板部と、前記ガイドレール１の挿入口に昇降自在に挿入した挿入板部とを有し、前記挿入板部は、前記板状固定部の両側端部の下端部に沿って配置されているものである。
【０００８】
そして、被遮蔽部を遮蔽する場合は不燃性シート体を下降することにより、この不燃性シート体は幅方向の両側端部が両側部のガイドレールの対向した挿入口に沿って、かつ、不燃性重錘体は第２の重錘部材の可動板部の両側端部の挿入部が両側部のガイドレールの対向した挿入口に沿ってこの不燃性重錘体の重量によりスムーズに下降される。
【０００９】
この不燃性重錘体が下降するとき、この不燃性重錘体の第２の重錘部材は自重により第１の重錘部材から下方に突出して吊持された状態で下降される。すなわち、第２の重錘部材は自重により第１の重錘部材から下降され、その可動板部の上端部の抜止め板部が不燃性シート体の下端部に固定された第１の重錘部材の挿通口の内側縁部に当接して抜止めされた状態で第１の重錘部材から下方に突出して吊持された状態で下降される。
【００１０】
また、不燃性シート体の下降で不燃性重錘体の第２の重錘部材の着床板部が被遮蔽部の床面に着床され、この不燃性シート体が更に所定量下降されると、不燃性重錘体の第１の重錘部材がこの第１の重錘部材の挿通口及びこの挿通口に挿通した第２の重錘部材の可動板部をガイドとして所定量下降される。
【００１１】
そして、不燃性シート体の下降が停止されることにより、この不燃性重錘体の第１の重錘部材の下降が停止され、この第１の重錘部材の挿通口の内側縁部から外れた第２の重錘部材の抜止め板部及びこの抜止め板部を上端部に有する第２の重錘部材の可動板部がそれぞれ第１の重錘部材の挿通口の上方に突出される。
【００１２】
したがって、第２の重錘部材の自重によりこの第２の重錘部材の着床板部が被遮蔽部の床面上に気密に着床され、この着床板部を有する第２の重錘部材及び第２の重錘部材の可動板部に沿って下降した第１の重錘部材にて不燃性シート体の下端部と被遮蔽部の床面との間が確実に気密に閉塞され、かつ、この不燃性重錘体及び不燃性シート体にて被遮蔽部の両側部のガイドレールとの間が確実に遮蔽される。
【００１３】
また、両側部のガイドレールの挿入口は不燃性シート体の幅方向の両側端部及び不燃性重錘体の第２の重錘部材の可動板部の両側端部の挿入部を昇降自在に挿入した比較的狭い間隔で開口されることにより、被遮蔽部が遮蔽された状態では両側部のガイドレールの挿入口と不燃性シート体の幅方向の両側端部及び不燃性重錘体の第２の重錘部材の可動板部の両挿入端部との間には熱風等が流出し易くなるような大きな隙間が形成されることがなく、これらの間の気密性が向上される。
【００１４】
このように、被遮蔽部が遮蔽された状態では不燃性シート体及び不燃性重錘体にて全体として被遮蔽部の気密性及び耐火性が向上され、この被遮蔽部の一方側から他方側に向かって熱風等の流出が防止され、熱風等の煙りの拡散と延焼が防止される。
【００１５】
つぎに、不燃性シート体及び不燃性重錘体にて被遮蔽部を遮蔽した状態で、不燃性シート体が火災時の熱風により煽られる圧力を受けて撓んだり、火災熱により上方に熱収縮するようなことがあった場合は、不燃性シート体の撓み量及び熱収縮量に応じてこの不燃性シート体にて不燃性重錘体の第１の重錘部材が引き上げられる。
【００１６】
このとき、第１の重錘部材は、この第１の重錘部材の挿通口及びこの挿通口に挿通した第２の重錘部材の可動板部をガイドとして引き上げられるが、第２の重錘部材は第１の重錘部材によって引き上げられることがなく、この第２の重錘部材の可動板部の下端部の着床板部が被遮蔽部の床面上に引き続き気密に着床され続け、これらの間から熱風等が流出することを確実に防止される。
【００１７】
そして、不燃性シート体の撓み量及び／または熱収縮量が大きいときに、第１の重錘部材が第２の重錘部材から更に引き上げられても、この第２の重錘部材の可動板部の下端部の着床板部が被遮蔽部の床面上に引き続き気密に着床され続け、これらの間から熱風等が流出することを確実に防止される。
【００１８】
また、被遮蔽部の遮蔽時に不燃性重錘体の両端部がロックされている状態で、不燃性シート体が火災時の熱風により煽られて強い圧力を受けたときも、第２の重錘部材は第１の重錘部材によって引き上げられることがなく、この第２の重錘部材の可動板部の下端部の着床板部が被遮蔽部の床面上に引き続き気密に着床され続け、この第２の重錘部材と床面との間の中間部に隙間が生じることを防止される。
【００１９】
したがって、不燃性シート体及び不燃性重錘体にて被遮蔽部を遮蔽した状態で、不燃性シート体が火災時の熱風により煽られる圧力を受けて撓んだり、火災熱により上方に熱収縮するようなことがあっても、被遮蔽部を気密に遮蔽する気密性及び被遮蔽部を火炎の流出を防止して遮蔽する耐火性が向上される。
【００２０】
また、閉塞カバー体にて第１の重錘部材の両側端部とガイドレールとの間が閉塞され、被遮蔽部の遮蔽時に第１の重錘部材の両側端部とガイドレールとの間から熱風等が流出することを防止して気密性が向上される。
【００２１】
請求項２記載の耐火スクリーン装置は、請求項１記載の耐火スクリーン装置において、第１の重錘部材の挿通口は、この第１の重錘部材に相対して着脱自在に取付けられた一対の底板部の対向する端部にて形成されている、ものである。
【００２２】
そして、第１の重錘部材に相対して一対の底板部を取付けることにより、この一対の底板部の対向する端部にて挿通口が簡単に形成されるが、このとき、第１の重錘部材の一方側に一方の底板部を取付けるとともに、この一方の底板部の端部に沿って第２の重錘部材の可動板部を配置した状態で、第１の重錘部材の他方側に他方の底板部を取付けることにより、この他方の底板部の端部と一方の底板部の端部とにより形成される挿通口に第２の重錘部材の可動板部が簡単に昇降自在に組み込まれる。
【００２３】
請求項３記載の耐火スクリーン装置は、請求項１または２記載の耐火スクリーン装置において、第１の重錘部材は、この第１の重錘部材の両面部から下方に向かってそれぞれ突出され床面に着床時に第２の重錘部材を介して互いに反対方向に離反して着床する一対の不燃性エンドシートを有する、ものである。
【００２４】
そして、第２の重錘部材の着床板部が被遮蔽部の床面に着床され、不燃性シート体が更に下降されると、第１の重錘部材がこの第１の重錘部材の挿通口及びこの挿通口に挿通した第２の重錘部材の可動板部をガイドとして所定量下降されるとともに、この第１の重錘部材にて一対の不燃性エンドシートの下端部が床面に着床される。
【００２５】
また、この第１の重錘部材が更に所定量下降されると、この第１の重錘部材にて一対の不燃性エンドシートが第２の重錘部材を介して互いに反対方向に離反して拡開した状態に変形して着床される。そして、不燃性シート体の下降が停止されることにより、この不燃性重錘体の第１の重錘部材の下降が停止され、この第１の重錘部材の挿通口の内側縁部から外れた第２の重錘部材の抜止め板部及びこの抜止め板部を上端部に有する第２の重錘部材の可動板部がそれぞれ第１の重錘部材の挿通口の上方に突出される。
【００２６】
したがって、第２の重錘部材の自重によりこの第２の重錘部材の着床板部が被遮蔽部の床面上に気密に着床され、この着床板部を有する第２の重錘部材及び第２の重錘部材の可動板部に沿って下降し第２の重錘部材を介して床面上に気密に着床された第１の重錘部材の一対の不燃性エンドシートにて不燃性シート体の下端部と被遮蔽部の床面との間が更に確実に気密に閉塞される。
【００２７】
そして、第２の重錘部材を介して床面上に第１の重錘部材の一対の不燃性エンドシートが気密に着床されることにより、この一対の不燃性エンドシートにて第２の重錘部材の可動板部を挿通した第１の重錘部材の挿通口に熱風等が流出することが防止される。
【００２８】
つぎに、不燃性シート体及び不燃性重錘体にて被遮蔽部が遮蔽された状態で、不燃性シート体が火災時の熱風により煽られる圧力を受けて撓んだり、火災熱により上方に熱収縮するようなことがあった場合は、不燃性シート体の撓み量及び熱収縮量に応じてこの不燃性シート体にて不燃性重錘体の第１の重錘部材が引き上げられるとともに、この第１の重錘部材の一対の不燃性エンドシートが床面に着床した状態のままで第２の重錘部材の着床板部に向かって床面に沿って摺動しながら引き上げられる。
【００２９】
このとき、第１の重錘部材は、この第１の重錘部材の挿通口及びこの挿通口に挿通した第２の重錘部材の可動板部をガイドとして引き上げられるが、第２の重錘部材は第１の重錘部材によって引き上げられることがなく、この第２の重錘部材の可動板部の下端部の着床板部が被遮蔽部の床面上に引き続き気密に着床され続けるとともに、第１の重錘部材の一対の不燃性エンドシートが床面上に引き続き気密に着床され続け、この第２の重錘部材及び一対の不燃性エンドシートにて不燃性シート体の下端部と床面との間から熱風等が流出することを確実に防止される。
【００３０】
したがって、不燃性シート体及び不燃性重錘体にて被遮蔽部を遮蔽した状態で、不燃性シート体が火災時の熱風により煽られる圧力を受けて撓んだり、火災熱により上方に熱収縮するようなことがあっても、一対の不燃性エンドシートが床面に着床した状態で摺動され、この一対の不燃性エンドシートにて第２の重錘部材と床面との間を閉塞した第２の重錘部材の気密性が補完される。
【００３１】
そして、全体として第２の重錘部材及び一対の不燃性エンドシートを有する第１の重錘部材にて不燃性シート体の下端部と床面との間が更に確実に気密に閉塞され、被遮蔽部を気密に遮蔽する気密性及び被遮蔽部を火炎の流出を防止して遮蔽する耐火性が向上される。
【００３２】
請求項４記載の耐火スクリーン装置は、請求項１記載の耐火スクリーン装置において、第２の重錘部材の着床板部は、可動板部を中心に互いに反対方向に向かって突出した突出板部にて水平状に形成されている、ものである。
【００３３】
そして、第２の重錘部材の着床板部が床面に着床したときは、この着床板部が可動板部を中心に互いに反対方向に向かって突出した突出板部にて水平状に形成されていることにより、着床板部がバランスよく安定して床面に着床され、この着床板部上の可動板部が第１の重錘部材の引上げ時にガイドし易いように垂直状に保持される。
【００３４】
【発明の実施の形態】
以下、本発明の一実施の形態を図面を参照して説明する。
【００３５】
１は被遮蔽部２の相対する両側壁部にそれぞれ相対して垂直状に固定された上下方向の左右のガイドレールで、この左右のガイドレール１は互いに対向して上下方向の挿入口３を開口して断面略コ字形状に形成されている。前記挿入口３は、前記ガイドレール１の内側板部４にそれぞれ形成され、その開口縁部に相対して形成された上下方向の案内片５をそれぞれ有している。前記被遮蔽部２は出入口、非常口及び通路等の開口部を意味している。
【００３６】
また、前記被遮蔽部２の上框体等の天井壁部６に前記左右のガイドレール１の上端部をそれぞれ挿入したスクリーンボックス７が固定され、このスクリーンボックス７は下端部に前記左右のガイドレール１の挿入口３にそれぞれ連通して開口した左右方向の案内口８を有している。
【００３７】
また、前記スクリーンボックス７内には左右方向の巻取ドラム９を有する巻取軸10が回転自在に軸架され、この巻取軸10の一端部にはこの巻取軸10を駆動回転する回転輪11が固着されている。また、前記スクリーンボックス７内に正逆転可能なモータ12が固定され、このモータ12の出力軸13に前記回転輪11に対向する位置に駆動輪14が固着され、この駆動輪14と前記回転輪11との間には無端回行体15が回行自在に懸架されている。
【００３８】
前記モータ12は図示しない制御手段からの火災信号等の出力信号により作動され、このモータ12の出力は減速されて前記巻取軸10に伝達されるようになっている。また、前記モータ12は後述する不燃性重錘体が前記被遮蔽部２の床面16に着床する着床位置に合わせて設定された所定の回転数の回転で自動的に停止されるようになっている。また、前記モータ12は後述する不燃性重錘体が前記被遮蔽部２の床面16に着床することにより検知される検知信号を入力した前記制御手段からの停止信号により作動が停止されるようにしてもよい。
【００３９】
つぎに、前記スクリーンボックス７に前記被遮蔽部２を遮蔽する耐火スクリーン17が巻き戻し下降自在に設けられている。前記耐火スクリーン17は、前記被遮蔽部２を遮蔽する昇降自在の不燃性シート体18と、この不燃性シート体18の下端部に設けられ前記被遮蔽部２の床面16に下降して着床する不燃性重錘体19と、を有して構成されている。
【００４０】
前記不燃性シート体18は、前記巻取ドラム９にこの不燃性シート体18の一端部（上端部）が固着されて巻き戻し下降自在に巻回され、この不燃性シート体18は幅方向の両側端部を前記左右のガイドレール１の挿入口３に挿入して昇降自在に設けられた挿入部20としてそれぞれ形成され、さらに、この不燃性シート体18は、下端部に沿って前記不燃性重錘体19を固定する偏平板状の板状固定部21が形成されている。
【００４１】
前記板状固定部21は、前記不燃性シート体18の下端部を折り返した折返し片部22の上端部を不燃性シート体18に一体に固定して両側端部を開口して形成された中空の収容部23と、この収容部23内にこの収容部23の一端部の開口部から挿入して収容された不燃性の偏平板状体24と、を有して形成されている。
【００４２】
また、前記偏平板状体24は、両側端部に前記不燃性シート体18の両挿入部20より外方に向かってそれぞれ突出され前記左右のガイドレール１の挿入口３に昇降自在に挿入する挿入突部25をそれぞれ有している。
【００４３】
前記不燃性重錘体19は、前記不燃性シート体18の下端部に形成された板状固定部21に沿って固定された第１の重錘部材26と、この第１の重錘部材26に上下動自在に設けられた第２の重錘部材27と、を有して構成されている。
【００４４】
前記第１の重錘部材26は、一方の重錘板28と、この一方の重錘板28と同形状に形成された他方の重錘板29と、前記第２の重錘部材27を上下動自在に挿通する挿通口30を形成する一対の底板部31と、を有して構成されている。
【００４５】
前記一方の重錘板28及び他方の重錘板29は、前記不燃性シート体18の両側端部を残してそれぞれ形成され、すなわち、前記不燃性シート体18の幅より僅かに短い長さにそれぞれ形成されている。また、前記一方の重錘板28及び他方の重錘板29は、垂直板部32と、この垂直板部32の上端部に略直角状に折り曲げられた水平板部33と、この水平板部33の突出端部が上方に向かって略直角状に折り曲げられ前記板状固定部21を挟持する垂直状の挟持板部34と、を有してそれぞれ形成されている。
【００４６】
そして、前記一方の重錘板28及び他方の重錘板29の挟持板部34を前記板状固定部21の両面部にそれぞれ当接するとともに、この一方の挟持板部34から板状固定部21を介して他方の挟持板部34に所定の間隔をおいて複数の固定ボルト35をそれぞれ挿通し、これら各固定ボルト35に他方の挟持板部34側に位置してナット36をそれぞれ締め付けることにより、両挟持板部34にて板状固定部21を挟持した状態でこの板状固定部21に一方の重錘板28及び他方の重錘板29が固定される。
【００４７】
また、板状固定部21に一方の重錘板28及び他方の重錘板29が固定されることにより、この一方の重錘板28及び他方の重錘板29の垂直板部32がそれぞれ対向され、この対向する垂直板部32及びこの垂直板部32の上端部の水平板部33にて前記一対の底板部31の上方部に前記第２の重錘部材27が上下動自在に出入りする収容空間部37が形成される。
【００４８】
また、前記一方の重錘板28及び他方の重錘板29は、両側端部に前記左右のガイドレール１の挿入口３にそれぞれ昇降自在に挿入しこの一方の重錘板28及び他方の重錘板29の両側端部と前記左右のガイドレール１との間を閉塞する閉塞カバー体38をそれぞれ有している。
【００４９】
前記閉塞カバー体38は、前記両重錘板28，29の両側端部に当接してこの両重錘板28，29の両側端部に複数の固定ねじ39にて固定された取付け板部40と、この取付け板部40に一体に形成され両重錘板28，29の垂直板部32及び水平板部33の両側端部に当接してこれらの間の空間を閉塞する取付け板部40と直交方向の閉塞板部41と、この閉塞板部41に外方に向かって一体に突出され前記左右のガイドレール１の挿入口３にそれぞれ昇降自在に挿入した挿入板部42と、を有して形成されている。
【００５０】
そして、前記両側端部の相対する挿入板部42は互いに近接して前記板状固定部21の両側端部の下端部に沿って配置され、かつ、この板状固定部21の外端部と略同じ外端位置に突出されている。
【００５１】
また、前記挿通口30を形成する一対の底板部31は、同一平面に対向して配置され、外端部に前記両重錘板28，29の垂直板部32の下端部に沿って当接されこの垂直板部32に複数の固定ねじ43にて固定された上下方向の取付片44をそれぞれ有し、この一対の底板部31の対向する端部としての内端部にて前記第２の重水部材27の後述する可動板部を上下動自在に挿通する所定の間隔の前記挿通口30が形成されている。
【００５２】
さらに、前記第１の重錘部材26は、この第１の重錘部材26の両面部から下方に向かってそれぞれ突出され前記床面16に着床時に前記第２の重錘部材27を介して互いに反対方向に離間して着床する一対の不燃性エンドシート45をそれぞれ有し、この一対の不燃性エンドシート45は、この一対の不燃性エンドシート45の上端部が前記両重錘板28，29の垂直板部32の下端部と前記一対の底板部31の取付片44との間に挟持された状態で前記複数の固定ねじ43にて固定され、この一対の不燃性エンドシート45の下端部が前記床面16に着床する着床板部46としてそれぞれ形成されている。
【００５３】
前記一対の不燃性エンドシート45は、不燃性部材にて前記床面16に着床時に互いに反対方向に向かって変形して離間し前記床面16上に引き上げられたときに互いに接近方向に向かって復元する方向に変形可能でそれぞれ同形状で横長矩形状に形成されている。また、この一対の不燃性エンドシート45は前記両重錘板28，29に沿ってこの両重錘板28，29と略同じ長さに形成されている。
【００５４】
しかして、前記一対の不燃性エンドシート45及び前記不燃性シート体18は、たとえば、ガラスクロス、シリカクロス等の不燃性布地にて形成されている。
【００５５】
また、前記一対の底板部31の下面部に沿って前記一対の不燃性エンドシート45を常時下方に向かって拡開した状態に支持する支持突部47を外端部に有するエンドシート押え板48がそれぞれ固定されている。この一対のエンドシート押え板48の内端部にて前記挿通口30に連通する連通挿通口49が形成されている。
【００５６】
つぎに、前記前記第２の重錘部材27は、前記第１の重錘部材26の挿通口30及び前記一対のエンドシート押え板48の連通挿通口49に上下動自在に挿通され両側端部に前記左右のガイドレール１の挿入口３にそれぞれ昇降自在に挿入した挿入部50を有する上下方向の可動板部51と、この可動板部51の上端部に形成され前記挿通口30の内側縁部に上方から当接して抜止めされる抜止め板部52と、前記可動板部51の下端部に形成され前記床面16に着床する着床板部53と、を有して構成されている。
【００５７】
前記抜止め板部52は、前記可動板部51を中心に互いに反対方向に向かって水平状に突出して形成された上端部の突出片部54にて形成され、前記着床板部53は、前記可動板部51を中心に互いに反対方向に向かって水平状に突出された下端部の突出板部55にて形成され、この着床板部53は、前記抜止め板部52の突出片部54より幅広い形状の突出板部55にて床面16との接触面の大きい水平状の着床面56を有して形成されている。
【００５８】
しかして、前記可動板部51は、１枚の板状部材にて形成してもよく、また２枚の板状部材を重ね合わせて一体に形成してもよい。また、前記抜止め板部52は、１枚の板状部材にて形成してもよく、また、２枚の突出片部54を前記可動板部51を中心に互いに反対方向に向かって水平状に突出して形成してもよい。さらに、着床板部53は、１枚の板状部材にて形成してもよく、また、２枚の突出板部55を前記可動板部51を中心に互いに反対方向に向かって水平状に突出して形成してもよい。
【００５９】
そして、第１の重錘部材26に第２の重錘部材27を取付けるときは、第１の重錘部材26の一方側の重錘板28に一方の底板部31を取付けるとともに、この一方の底板部31の端部に沿って第２の重錘部材27の可動板部51を配置した状態で、第１の重錘部材26の他方側の重錘板29に他方の底板部31を取付けることにより、第１の重錘部材26に第２の重錘部材27が簡単に取付けられ、この他方の底板部31の端部と一方の底板部31の端部とにより挿通口30及び連通挿通口49が簡単に形成され、かつ、この挿通口30及び連通挿通口49に第２の重錘部材27の可動板部51が簡単に昇降自在に組み込まれる。
【００６０】
つぎに、前記実施の形態の作用を説明する。
【００６１】
被遮蔽部２の開放時は、巻取ドラム９に不燃性シート体18が巻回されていることにより、この不燃性シート体18の下端部に固定された不燃性重錘体19の第２の重錘部材27の着床板部53にてスクリーンボックス７の案内口８が閉塞され、そして、このスクリーンボックス７が被遮蔽部２の天井部に埋設され、このスクリーンボックス７の案内口８が天井部の下面に開口されているときは、この第２の重錘部材27の着床板部53にてスクリーンボックス７の案内口８及び天井部の開口部が閉塞されている。
【００６２】
つぎに、被遮蔽部２を遮蔽する際、たとえば、被遮蔽部２を遮蔽する火災時に火災信号によりモータ12が作動されると、このモータ12からの出力により巻取軸10が不燃性シート体18を巻き戻す方向に駆動回転され、この巻取軸10の巻取ドラム９から不燃性シート体18が順次巻き戻される。
【００６３】
そして、この不燃性シート体18が下降することにより、この不燃性シート体18は幅方向の両側端部の挿入部20が左右のガイドレール１の対向した挿入口３に沿って、かつ、不燃性重錘体19は第２の重錘部材27の可動板部51の両側端部の挿入部50が左右のガイドレール１の対向した挿入口３に沿ってこの不燃性重錘体19の重量によりスムーズに下降される。
【００６４】
この不燃性重錘体19が下降するとき、この不燃性重錘体19の第２の重錘部材27は自重により第１の重錘部材26から下方に突出して吊持された状態で下降される。すなわち、第２の重錘部材27は自重により第１の重錘部材26から下降され、その可動板部51の上端部の抜止め板部52が不燃性シート体18の下端部に固定された第１の重錘部材26の挿通口30の内側縁部に上方から当接して抜止めされた状態で第１の重錘部材26から下方に突出して吊持された状態で下降される。
【００６５】
そして、第２の重錘部材27の着床板部53が被遮蔽部２の床面16に着床され、不燃性シート体18が更に下降されると、第１の重錘部材26がこの第１の重錘部材26の挿通口30及び連通挿通口49並びにこの挿通口30及び連通挿通口49に挿通した第２の重錘部材27の可動板部51をガイドとして所定量下降されるとともに、この第１の重錘部材26にて一対の不燃性エンドシート45の下端部の着床板部46が床面16にそれぞれ着床される。
【００６６】
このとき、第２の重錘部材27の着床板部53は、可動板部51を中心に互いに反対方向に向かって突出した突出板部55にて水平状に形成されているとともに、この突出板部55の下面部に接触面の大きい着床面56を有することにより、第２の重錘部材27の着床板部53が床面16に着床したときは、この着床板部53が着床面56にて床面16に気密に着床されるとともに、この着床板部53がバランスよく安定して床面16に着床され、この着床板部53上の可動板部51が第１の重錘部材26の引上げ時にガイドし易いように垂直状に保持される。
【００６７】
また、この第１の重錘部材26が更に所定量下降されると、この第１の重錘部材26にて一対の不燃性エンドシート45の着床板部46が第２の重錘部材27を介して互いに反対方向に離反して拡開した状態に変形して着床される。そして、モータ12が設定された所定の回転数を回転して停止されるとともに、不燃性シート体18の下降が停止されることにより、この不燃性重錘体19の第１の重錘部材26の下降が停止され、この第１の重錘部材26の挿通口30の内側縁部から外れた第２の重錘部材27の抜止め板部52及びこの抜止め板部52を上端部に有する第２の重錘部材27の可動板部51がそれぞれ第１の重錘部材26の挿通口30の上方の収容空間部37内に突出して収容される。
【００６８】
このとき、モータ12は、被遮蔽部２の床面16に着床した第２の重錘部材27の着床板部53上に対して、第１の重錘部材26の一対のエンドシート押え板48が近接位置に下降した時点で回転を停止させるように回転数が設定され、また、被遮蔽部２の床面16に着床した第２の重錘部材27の着床板部53上に対して、第１の重錘部材26の一対のエンドシート押え板48が所定の間隔をおいて離間する高さ位置に下降した時点で回転を停止させるように回転数が設定されている。
【００６９】
このため、モータ12が設定された所定の回転数を回転して停止されるとともに、不燃性シート体18の下降が停止されることにより、第１の重錘部材26の挿通口30の上方の収容空間部37内には第２の重錘部材27の抜止め板部52及びこの抜止め板部52を上端部に有する第２の重錘部材27の可動板部51が所定の突出量だけ突出して収容され、かつ、床面16に着床した第２の重錘部材27の着床板部53上に対して、第１の重錘部材26の一対のエンドシート押え板48が近接位置した状態、または一対のエンドシート押え板48が所定の間隔をおいて離間する高さ位置に下降した状態で第１の重錘部材26の下降が停止される。
【００７０】
したがって、第２の重錘部材27の自重によりこの第２の重錘部材27の着床板部53が被遮蔽部２の床面16上に気密に着床され、この着床板部53を有する第２の重錘部材27及び第２の重錘部材27の可動板部51に沿って下降し第２の重錘部材27を介して床面16上に気密に着床された第１の重錘部材26、並びにこの第１の重錘部材26の一対の不燃性エンドシート45にて不燃性シート体18の下端部と被遮蔽部２の床面16との間が更に確実に気密に閉塞され、かつ、この不燃性重錘体19及び一対の不燃性シート体18にて被遮蔽部２の左右のガイドレール１との間が確実に遮蔽される。
【００７１】
そして、第２の重錘部材27を介して床面16上に第１の重錘部材26の一対の不燃性エンドシート45が気密に着床されることにより、この一対の不燃性エンドシート45にて第２の重錘部材27の可動板部51を挿通した第１の重錘部材26の挿通口30及び連通挿通口49に熱風等が流出入することが防止される。
【００７２】
また、第１の重錘部材26は、両側端部に左右のガイドレール１の挿入口３にそれぞれ昇降自在に挿入しこの第１の重錘部材26の両側端部とガイドレール１との間を閉塞する閉塞カバー体38を有することにより、この両側端部の閉塞カバー体38の閉塞板部41及び挿入板部42にて第１の重錘部材26の両側端部とガイドレール１との間が閉塞され、被遮蔽部２の遮蔽時に第１の重錘部材26の両側端部とガイドレール１との間から熱風等が流出入することが防止される。
【００７３】
また、左右のガイドレール１の挿入口３は不燃性シート体18の幅方向の両側端部の挿入部20及び不燃性重錘体19の第２の重錘部材27の可動板部51の両側端部の挿入部50を昇降自在に挿入した比較的狭い間隔で開口されることにより、被遮蔽部２が遮蔽された状態では左右のガイドレール１の挿入口３と不燃性シート体18の幅方向の両側端部の挿入部20及び不燃性重錘体19の第２の重錘部材27の可動板部51の両挿入部50との間には熱風等が流出し易くなるような大きな隙間が形成されることがなく、これらの間の気密性が向上される。
【００７４】
このように、被遮蔽部２が遮蔽された状態では不燃性シート体18及び不燃性重錘体19にて全体として被遮蔽部２の気密性及び耐火性が向上され、この被遮蔽部２の一方側から他方側に向かって熱風等の流出入が防止され、熱風等の煙りの拡散と延焼が防止される。
【００７５】
つぎに、不燃性シート体18及び不燃性重錘体19にて被遮蔽部２が遮蔽された状態で、不燃性シート体18が火災時の熱風により煽られる圧力を受けて撓んだり、火災熱により上方に熱収縮するようなことがあった場合は、不燃性シート体18の撓み量及び熱収縮量に応じてこの不燃性シート体18にて不燃性重錘体19の第１の重錘部材26が引き上げられるとともに、この第１の重錘部材26の一対の不燃性エンドシート45が床面16に着床した状態のままで第２の重錘部材27の着床板部53に向かって床面16に沿って摺動しながら引き上げられる。
【００７６】
このとき、第１の重錘部材26は、この第１の重錘部材26の挿通口30及び連通挿通口49並びにこれら挿通口30及び連通挿通口49に挿通した第２の重錘部材27の可動板部51をガイドとして引き上げられるが、第２の重錘部材27は第１の重錘部材26によって引き上げられることがなく、この第２の重錘部材27の可動板部51の下端部の着床板部53が被遮蔽部２の床面16上に引き続き気密に着床され続けるとともに、第１の重錘部材26の一対の不燃性エンドシート45の着床板部46が床面16上に引き続き気密に着床され続け、この第２の重錘部材27及び一対の不燃性エンドシート45にて不燃性シート体18の下端部と床面16との間から熱風等が流出入することを確実に防止される。
【００７７】
すなわち、たとえば、不燃性シート体18及び一対の不燃性エンドシート45が熱風等の圧力を受けて前後方向の一方から他方に向かって押圧されたときは、不燃性シート体18が押圧方向に向かって多少撓むとともに、この一対の不燃性エンドシート45の中で押圧される一方の不燃性エンドシート45の着床板部46が床面16に着床した状態のままで第２の重錘部材27の着床板部53に向かって撓みながら床面16に沿って摺動される。
【００７８】
また、他方の不燃性エンドシート45が熱風等の圧力を受けて押圧されたときも同様に他方の不燃性エンドシート45の着床板部46が床面16に着床した状態のままで第２の重錘部材27の着床板部53に向かって撓みながら床面16に沿って摺動される。
【００７９】
そして、不燃性シート体18の撓み量及び／または熱収縮量が大きいときに、第１の重錘部材26が第２の重錘部材27から更に引き上げられても、この第２の重錘部材27の可動板部51の下端部の着床板部53及び一対の不燃性エンドシート45の着床板部46が被遮蔽部２の床面16上に引き続き気密に着床され続け、これらの間から熱風等が流出入することを確実に防止される。
【００８０】
このように、不燃性シート体18及び一対の不燃性エンドシート45が前後方向のいずれの方向から熱風等の圧力を受けても、一対の不燃性エンドシート45が床面16に着床した状態で摺動され、この一対の不燃性エンドシート45にて第２の重錘部材27と床面16との間の気密性が補完される。
【００８１】
また、被遮蔽部２の遮蔽時に不燃性重錘体19の両端部がロックされている状態で、不燃性シート体18が火災時の熱風により煽られて強い圧力を受けたときも、第２の重錘部材27は第１の重錘部材26によって引き上げられることがなく、この第２の重錘部材27の可動板部51の下端部の着床板部53及び一対の不燃性エンドシート45の着床板部46が被遮蔽部２の床面16上に引き続き気密に着床され続け、この第２の重錘部材27と床面16との間の中間部に隙間が生じることを確実に防止される。
【００８２】
したがって、不燃性シート体18及び不燃性重錘体19にて被遮蔽部２を遮蔽した状態で、不燃性シート体18が火災時の熱風により煽られる圧力を受けて撓んだり、火災熱により上方に熱収縮するようなことがあっても、一対の不燃性エンドシート45の着床板部46が床面16に着床した状態で摺動され、この一対の不燃性エンドシート45にて第２の重錘部材27と床面16との間を閉塞した第２の重錘部材27の気密性が確実に補完される。
【００８３】
そして、全体として第２の重錘部材27及び一対の不燃性エンドシート45を有する第１の重錘部材26にて不燃性シート体18の下端部と床面16との間が更に確実に気密に閉塞され、被遮蔽部２を気密に遮蔽する気密性及び被遮蔽部２を火炎の流出入を防止して遮蔽する耐火性が向上され、火災時に煙りの拡散と延焼が防止される。
【００８４】
つぎに、前記実施の形態では、不燃性重錘体19は、第１の重錘部材26の両面部に第２の重錘部材27を介して互いに反対方向に離反して着床する一対の不燃性エンドシート45を設ける場合について説明したが、これに限らず、不燃性重錘体19は一対の不燃性エンドシート45を有しない第１の重錘部材26と、この第１の重錘部材26に上下動自在に設けられた第２の重錘部材27と、を有して構成するようにしてもよい。
【００８５】
このように構成することにより、不燃性シート体18及び不燃性重錘体19にて被遮蔽部２を遮蔽した状態で、不燃性シート体18が火災時の熱風により煽られる圧力を受けて撓んだり、火災熱により上方に熱収縮するようなことがあっても、第１の重錘部材26は、この第１の重錘部材26の挿通口30及び連通挿通口49並びにこれら挿通口30及び連通挿通口49に挿通した第２の重錘部材27の可動板部51をガイドとして引き上げられるが、第２の重錘部材27は第１の重錘部材26によって引き上げられることがなく、この第２の重錘部材27の可動板部51の下端部の着床板部53が被遮蔽部２の床面16上に引き続き気密に着床され続け、この第２の重錘部材27及び第１の重錘部材26にて不燃性シート体18の下端部と床面16との間から熱風等が流出入することを確実に防止される。
【００８６】
【発明の効果】
請求項１の発明によれば、不燃性重錘体は第１の重錘部材と、この第１の重錘部材に上下動自在に設けられた第２の重錘部材とを有し、第２の重錘部材は、第１の重錘部材の挿通口に上下動自在に挿通され両側端部に両側部のガイドレールの挿入口にそれぞれ昇降自在に挿入した挿入部を有する可動板部と、この可動板部の上端部に形成され前記挿通口の内側縁部に当接して抜止めされる抜止め板部と、前記可動板部の下端部に形成され床面に着床する着床板部とを有するので、被遮蔽部の遮蔽時には、第２の重錘部材の自重によりこの第２の重錘部材の着床板部が被遮蔽部の床面上に気密に着床でき、この着床板部を有する第２の重錘部材及び第２の重錘部材の可動板部に沿って下降した第１の重錘部材にて不燃性シート体の下端部と被遮蔽部の床面との間を確実に気密に閉塞でき、かつ、この不燃性重錘体及び不燃性シート体にて被遮蔽部の両側部のガイドレールとの間を確実に遮蔽できる。
【００８７】
また、両側部のガイドレールの挿入口は不燃性シート体の幅方向の両側端部及び第２の重錘部材の可動板部の両側端部の挿入部を昇降自在に挿入した比較的狭い間隔で開口でき、被遮蔽部が遮蔽された状態では両側部のガイドレールの挿入口と不燃性シート体の幅方向の両側端部及び第２の重錘部材の可動板部の両挿入端部との間には熱風等が流出入し易くなるような大きな隙間が形成されることがなくこれらの間の気密性を向上できる。
【００８８】
したがって、被遮蔽部の遮蔽時では不燃性シート体及び不燃性重錘体にて全体として被遮蔽部の気密性及び耐火性を向上でき、この被遮蔽部の一方側から他方側に向かって熱風等の流出入を確実に防止でき、熱風等の煙りの拡散と延焼を防止できる。
【００８９】
また、不燃性シート体及び不燃性重錘体にて被遮蔽部を遮蔽した状態で、不燃性シート体が火災時の熱風により煽られる圧力を受けて撓んだり、火災熱により上方に熱収縮するようなことがあった場合は、不燃性シート体の撓み量及び熱収縮量に応じてこの不燃性シート体にて不燃性重錘体の第１の重錘部材が引き上げられるが、このとき、第１の重錘部材は、この第１の重錘部材の挿通口及びこの挿通口に挿通した第２の重錘部材の可動板部をガイドとして引き上げられても、第２の重錘部材は第１の重錘部材によって引き上げられることがなく、この第２の重錘部材の可動板部の下端部の着床板部が被遮蔽部の床面上に引き続き気密に着床され続け、これらの間から熱風等が流出入することを確実に防止できる。
【００９０】
また、被遮蔽部の遮蔽時に不燃性重錘体の両端部がロックされている状態で、不燃性シート体が火災時の熱風により煽られて強い圧力を受けたときも、第２の重錘部材は第１の重錘部材によって引き上げられることがなく、この第２の重錘部材の可動板部の下端部の着床板部が被遮蔽部の床面上に引き続き気密に着床され続け、この第２の重錘部材と床面との間の中間部に隙間が生じることを確実に防止できる。
【００９１】
したがって、不燃性シート体及び不燃性重錘体にて被遮蔽部を遮蔽した状態で、不燃性シート体が火災時の熱風により煽られる圧力を受けて撓んだり、火災熱により上方に熱収縮するようなことがあっても、被遮蔽部を気密に遮蔽する気密性及び被遮蔽部を火炎の流出入を防止して遮蔽する耐火性を向上できる。
【００９２】
また、第１の重錘部材は、両側端部に両側部のガイドレールの挿入口にそれぞれ昇降自在に挿入しこの第１の重錘部材の両側端部とガイドレールとの間を閉塞する閉塞カバー体を有するので、閉塞カバー体にて第１の重錘部材の両側端部とガイドレールとの間を閉塞でき、被遮蔽部の遮蔽時に第１の重錘部材の両側端部とガイドレールとの間から熱風等が流出入することを防止してこれらの間の気密性を向上できる。
【００９３】
請求項２の発明によれば、請求項１の発明の効果に加え、第１の重錘部材の挿通口は、この第１の重錘部材に相対して着脱自在に取付けられた一対の底板部の対向する端部にて形成したので、この一対の底板部の対向する端部にて挿通口を簡単に形成できるが、このとき、第１の重錘部材の一方側に一方の底板部を取付けるとともに、この一方の底板部の端部に沿って第２の重錘部材の可動板部を配置した状態で、第１の重錘部材の他方側に他方の底板部を取付けることにより、この他方の底板部の端部と一方の底板部の端部とにより形成される挿通口に第２の重錘部材の可動板部を簡単に昇降自在に組み込むことができる。
【００９４】
請求項３の発明によれば、請求項１または２の発明の効果に加え、第１の重錘部材は、この第１の重錘部材の両面部から下方に向かってそれぞれ突出され床面に着床時に第２の重錘部材を介して互いに反対方向に離反して着床する一対の不燃性エンドシートを有するので、被遮蔽部の遮蔽時には、一対の不燃性エンドシートが第２の重錘部材を介して互いに反対方向に離反して拡開した状態に変形して着床し、この一対の不燃性エンドシートにて不燃性シート体の下端部と被遮蔽部の床面との間を閉塞した第２の重錘部材を補完して第２の重錘部材を介して不燃性シート体の下端部と被遮蔽部の床面との間を更に確実に気密に閉塞できる。
【００９５】
また、第２の重錘部材を介して床面上に一対の不燃性エンドシートが気密に着床されることにより、この一対の不燃性エンドシートにて第２の重錘部材の可動板部を挿通した第１の重錘部材の挿通口に熱風等が流出入することを確実に防止できる。
【００９６】
また、不燃性シート体及び不燃性重錘体にて被遮蔽部が遮蔽された状態で、不燃性シート体が火災時の熱風により煽られる圧力を受けて撓んだり、火災熱により上方に熱収縮するようなことがあったときは、第１の重錘部材は第２の重錘部材の可動板部をガイドとして引き上げられるが、第２の重錘部材は第１の重錘部材によって引き上げられることがなく、この第２の重錘部材の着床板部が被遮蔽部の床面上に引き続き気密に着床され続けるとともに、一対の不燃性エンドシートが床面上に引き続き気密に着床され続け、この第２の重錘部材及び一対の不燃性エンドシートにて不燃性シート体の下端部と床面との間から熱風等が流出入することを確実に防止できる。
【００９７】
したがって、不燃性シート体及び不燃性重錘体にて被遮蔽部を遮蔽した状態で、不燃性シート体が火災時の熱風により煽られる圧力を受けて撓んだり、火災熱により上方に熱収縮するようなことがあっても、一対の不燃性エンドシートが床面に着床した状態で第２の重錘部材と床面との間を閉塞した第２の重錘部材の気密性を確実に補完でき、全体として第２の重錘部材及び第１の重錘部材の一対の不燃性エンドシートにて不燃性シート体の下端部と床面との間を更に確実に気密に閉塞でき、被遮蔽部を気密に遮蔽する気密性及び被遮蔽部を火炎の流出入を防止して遮蔽する耐火性を向上できる。
【００９８】
請求項４の発明によれば、請求項１の発明の効果に加え、第２の重錘部材の着床板部は、可動板部を中心に互いに反対方向に向かって突出した突出板部にて水平状に形成したので、第２の重錘部材の着床板部が床面に着床したときは、着床板部をバランスよく安定して床面に着床でき、この着床板部上の可動板部を第１の重錘部材の引上げ時にガイドし易いように垂直状に保持できる。
【図面の簡単な説明】
【図１】本発明の一実施の形態を示す耐火スクリーン装置の一部の分解斜視図である。
【図２】同上耐火スクリーン装置の正面図である。
【図３】同上側面図である。
【図４】同上一部の横断平面図である。
【図５】同上一部の正面図である。
【図６】同上斜視図である。
【図７】同上不燃性シート体の下降時の端面図である。
【図８】同上不燃性重錘体の着床時の端面図である。
【図９】同上不燃性重錘体の引上げ時の端面図である。
【符号の説明】
１    ガイドレール
２    被遮蔽部
３    挿入口
16    床面
18    不燃性シート体
19    不燃性重錘体
26    第１の重錘部材
27    第２の重錘部材
30    挿通口
31    底板部
38    閉塞カバー体
45    不燃性エンドシート
50    挿入部
51    可動板部
52    抜止め板部
53    着床板部
55    突出板部
【図１】
0003593453.tif 000002
【図２】
0003593453.tif 000003
【図３】
0003593453.tif 000004
【図４】
0003593453.tif 000005
【図５】
0003593453.tif 000006
【図６】
0003593453.tif 000007
【図７】
0003593453.tif 000008
【図８】
0003593453.tif 000009
【図９】
0003593453.tif 000010